(57)【要約】      （修正有）【課題】記録紙を切断する構造のプリンタ装置において、固定刃と可動刃との間に記録紙が詰まった記録紙を取り除くことのできる構造のプリンタ装置を提供する。【解決手段】移動することにより記録紙を切断する固定刃１３０と可動刃とを有し、固定刃１３０が取り付けられている固定刃ブロック１００にはプラテンローラ保持部材１２０に保持されたプラテンローラ１１０及び固定刃バネ回転軸１４１を中心に回転可能な状態で固定刃設置部材１５０に設置された固定刃バネ１３０が取り付けられ、可動刃が取り付けられている可動刃ブロックには記録紙に印字をする印字ヘッドが取り付けられ、固定刃１３０は固定刃バネ１４０の一方の側において接触し、プラテンローラ保持部材１２０により固定刃バネ１４０の他方の側が押され、前記固定刃バネ回転軸１４１を中心に前記固定刃バネ１４０が回転し固定刃バネ１４０の一方の側において固定刃１３０が押される。【選択図】図１５
2014040077.tif 000002
【特許請求の範囲】
【請求項１】
記録紙を切断する固定刃と可動刃とを有し、前記可動刃が前記固定刃の設けられている側に移動することにより前記記録紙を切断するものであって、
前記固定刃が取り付けられている固定刃ブロックには、プラテンローラ及び固定刃バネが取り付けられており、
前記プラテンローラはプラテンローラ保持部材に保持されており、前記固定刃は固定刃設置部材に設置されており、前記固定刃バネは固定刃バネ回転軸を中心に回転可能な状態で前記固定刃設置部材に取り付けられており、
前記可動刃が取り付けられている可動刃ブロックには、前記記録紙に印字をする印字ヘッドが取り付けられており、
前記固定刃は前記固定刃バネの一方の側において接触するものであって、前記固定刃ブロックと前記可動刃ブロックとが接続した際には、前記プラテンローラ保持部材により前記固定刃バネの他方の側が押されることにより、前記固定刃バネ回転軸を中心に前記固定刃バネが回転し、前記固定刃バネの一方の側において前記固定刃が押されるものであることを特徴とするプリンタ装置。
【請求項２】
プリンタ本体部と前記プリンタ本体部に開閉可能な状態で取り付けられているカバーとを有しており、
前記可動刃ブロックは前記プリンタ本体部に取り付けられており、
前記固定刃ブロックは前記カバーに取り付けられており、
前記プリンタ本体部に前記カバーが閉じることにより、前記固定刃ブロックと前記可動刃ブロックとが接続されるものであることを特徴とする請求項１に記載のプリンタ装置。
【請求項３】
前記プラテンローラ保持部材には、前記固定刃バネの他方の側を押下するバネ押下部が設けられていることを特徴とする請求項１または２に記載のプリンタ装置。
【請求項４】
前記カバーを開くための操作レバーが設けられており、
前記操作レバーを押すことにより、前記バネ押下部において前記固定刃バネの他方の側を押していた力が弱まり、前記固定刃バネ回転軸を中心に前記固定刃バネが回転し、前記固定刃バネの一方の側において前記固定刃が押される力が弱まることを特徴とする請求項１から３のいずれかに記載のプリンタ装置。
【請求項５】
前記カバーを開くための操作レバーが設けられており、
用紙ジャムが発生した際に、前記操作レバーを押すことにより、前記可動刃が元の位置に戻ることを特徴とする請求項１から４のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【０００３】
このように、記録紙をカッターで切断するプリンタ装置としては、固定刃と可動刃を有しており、可動刃が可動することにより、固定刃と可動刃により記録紙を切断するものがある。
【先行技術文献】
【特許文献】
【０００４】
【特許文献１】特開２００４−１０６２７３号公報
【特許文献２】特開２００７−１３０８４２号公報
【特許文献３】特許第２６８３１６６号公報
【発明の概要】
【発明が解決しようとする課題】
【０００５】
上述した固定刃と可動刃とにより記録紙を切断する構造のプリンタ装置について、図１及び図２に基づき、より詳細に説明する。
【０００６】
このような構造のプリンタ装置は、図１（ａ）に示されるように、サーマルヘッド等のプリンタヘッド９１０とプラテンローラ９２０とを有しており、ロール状に巻かれた記録紙９３０が、プリンタヘッド９１０とプラテンローラ９２０の間を通過する際に、印字がなされる。印字のなされた記録紙９３０は、プラテンローラ９２０の回転により、固定刃９４１と可動刃９４２との間を通って排出される。尚、このプリンタ装置においては、固定刃９４１及びプラテンローラ９２０は操作レバー９５０側に取り付けられているものとする。
【０００７】
図１（ｂ）に示されるように、記録紙９３０における所定の印字が終了すると、可動刃９４２が固定刃９４１の設けられている側、即ち、可動刃９４２が右側方向に移動し、固定刃９４１と可動刃９４２との間の記録紙９３０が切断される。尚、固定刃９４１は、上方向、即ち、可動刃９４２が設けられている側に力が加わるように、不図示のバネ等により力が加えられている。このようにして記録紙９３０を切断した後においては、可動刃９４２は、不図示のバネ等の復元力により、元の位置に戻る、即ち、図面において左側方向に移動する。
【０００８】
しかしながら、図２（ａ）に示されるように、用紙ジャムとなった場合には、固定刃９４１と可動刃９４２との間に、用紙ジャムとなった記録紙９３０ａが詰まっており、固定刃９４１が不図示のバネ等により、上方向に力が加えられているため、可動刃９４２は元には戻ることはできない。尚、「用紙ジャム」については、単に、「ジャム」と記載する場合がある。
【０００９】
この場合、図２（ｂ）に示されるように、固定刃９４１と可動刃９４２との間で詰まっているジャムとなった記録紙９３０ａを取り除くため、操作レバー９５０を操作しても、即ち、矢印Ａに示す方向に操作レバー９５０を押しても、可動刃９４２が固定刃９４１により下から押されているため、固定刃９４１と可動刃９４２との間に詰まっているジャムとなった記録紙９３０ａは取り除くことができない。
【００１０】
本発明は、上記に鑑みてなされたものであり、固定刃と可動刃とにより記録紙を切断する構造のプリンタ装置において、固定刃と可動刃との間に記録紙が詰まった場合に、容易に詰まった記録紙を取り除くことのできる構造のプリンタ装置を提供することを目的とするものである。
【課題を解決するための手段】
【００１１】
本発明における一観点によれば、記録紙を切断する固定刃と可動刃とを有し、前記可動刃が前記固定刃の設けられている側に移動することにより前記記録紙を切断するものであって、前記固定刃が取り付けられている固定刃ブロックには、プラテンローラ及び固定刃バネが取り付けられており、前記プラテンローラはプラテンローラ保持部材に保持されており、前記固定刃は固定刃設置部材に設置されており、前記固定刃バネは固定刃バネ回転軸を中心に回転可能な状態で前記固定刃設置部材に取り付けられており、前記可動刃が取り付けられている可動刃ブロックには、前記記録紙に印字をする印字ヘッドが取り付けられており、前記固定刃は前記固定刃バネの一方の側において接触するものであって、前記固定刃ブロックと前記可動刃ブロックとが接続した際には、前記プラテンローラ保持部材により前記固定刃バネの他方の側が押されることにより、前記固定刃バネ回転軸を中心に前記固定刃バネが回転し、前記固定刃バネの一方の側において前記固定刃が押されるものであることを特徴とする。
【発明の効果】
【００１２】
本発明によれば、固定刃と可動刃とにより記録紙を切断する構造のプリンタ装置において、固定刃と可動刃との間に記録紙が詰まった場合に、容易に詰まった記録紙を取り除くことのできる構造のプリンタ装置を提供することができる。
【図面の簡単な説明】
【００１３】
【図１】従来のプリンタ装置の説明図（１）
【図２】従来のプリンタ装置の説明図（２）
【図３】本実施の形態におけるプリンタ装置の構造の要部の説明図（１）
【図４】本実施の形態におけるプリンタ装置の構造の要部の説明図（２）
【図５】固定刃ブロックの説明図（１）
【図６】固定刃ブロックの説明図（２）
【図７】可動刃の構造図（１）
【図８】可動刃の構造図（２）
【図９】可動刃の説明図（１）
【図１０】可動刃の説明図（２）
【図１１】本実施の形態におけるプリンタ装置の説明図（１）
【図１２】本実施の形態におけるプリンタ装置の説明図（２）
【図１３】本実施の形態におけるプリンタ装置の説明図（３）
【図１４】本実施の形態におけるプリンタ装置の説明図（４）
【図１５】本実施の形態におけるプリンタ装置の説明図（５）
【図１６】本実施の形態におけるプリンタ装置の説明図（６）
【図１７】本実施の形態におけるプリンタ装置の説明図（７）
【発明を実施するための形態】
【００１４】
本発明を実施するための形態について、以下に説明する。尚、同じ部材等については、同一の符号を付して説明を省略する。
【００１５】
（プリンタ装置の構造）
本実施の形態におけるプリンタ装置の構造について説明する。本実施の形態におけるプリンタ装置は、図３及び図４に示されるように、固定刃ブロック１００と可動刃ブロック２００とを有している。尚、本実施の形態におけるプリンタ装置は、不図示のプリンタ本体部とカバー部とを有しており、プリンタ本体部に不図示の記録紙を設置した後、カバー部を閉じた状態で使用されるものである。
【００１６】
可動刃ブロック２００は、不図示のプリンタ本体に取り付けられており、サーマルヘッド２１０、可動刃２３０、可動刃２３０を駆動するためのモータ２６０等を有している。また、可動刃ブロック２００には、可動刃２３０を元の位置に戻すための復元力を有する不図示のバネが設けられている。尚、不図示のロール状に巻かれた記録紙は、固定刃ブロック１００側に設置されている。
【００１７】
また、図５及び図６に示されるように、固定刃ブロック１００は、不図示のカバー部に取り付けられており、プラテンローラ１１０、プラテンローラ保持部材１２０、固定刃１３０、固定刃バネ１４０、固定刃設置部材１５０等を有している。プラテンローラ１１０は、プラテンローラ保持部材１２０にプラテンローラ１１０の軸受１１１において回転可能な状態で保持されている。固定刃設置部材１５０には、固定刃１３０が設置されており、更に、固定刃バネ１４０が、後述するように固定刃バネ回転軸１４１を中心に回転可能な状態で保持されている。また、プラテンローラ保持部材１２０には、後述するように固定刃バネ１４０の他方の端部と接触するバネ押下部１２１が設けられている。尚、固定刃回転部材１５０には、プラテン１１０の軸受１１１が上下方向に移動することが可能な開口部１５１が設けられている。
【００１８】
（可動刃２３０及び固定刃１３０）
次に、図７及び図８に基づき、可動刃２３０及び固定刃１３０について説明する。可動刃２３０には、上下にカバー部２４１及び２４２が設けられており、モータ２６０の駆動力は、駆動ギア２５１、伝達ギア２５２、搬送ギア２５３及び送り出し部２５４を介し、可動刃２３０に伝達され、可動刃２３０が図面において右側方向に移動する。尚、上側のカバー部２４１には、スライドレール２４３、２４４、２４５が設けられており、可動刃２３０はスライドレール２４３、２４４、２４５に沿って移動する。また、可動刃２３０には、記録紙を切断した後、元の位置に戻すため、即ち、左方向に移動するための復元力を有する不図示のバネ（ホームポジションバネ）が接続されている。尚、図７は、可動刃２３０が含まれている部分の側面図であり、図８は、上面図である。
【００１９】
本実施の形態においては、固定刃１３０と可動刃２３０とにより、不図示の記録紙を切断する際には、モータ２６０を駆動させて、図９に示される状態から図１０に示される状態となるように、可動刃２３０を固定刃１３０が設けられている側に移動させる。即ち、可動刃２３０を右側方向に移動させる。これにより、固定刃１３０と可動刃２３０とにより記録紙が切断される。
【００２０】
この後、モータ２６０の駆動は停止し、不図示のホームポジションバネの復元力により、可動刃２３０は左側方向に移動し元の状態に戻る。即ち、図１０に示される状態から図９に示される状態に戻る。このようにして、固定刃１３０と可動刃２３０とを用いて記録紙を切断することができる。尚、本実施の形態においては、ホームポジションバネの復元力に代えて、モータ２６０を逆回転させることにより、可動刃２３０を左側方向に移動させて元の状態に戻してもよい。
【００２１】
（固定刃ブロック１００と可動刃ブロック２００との接続）
次に、図１１から図１７に基づき、固定刃ブロック１００と可動刃ブロック２００との接続について説明する。具体的には、不図示のプリンタ本体部に取り付けられているカバー部を閉じることにより、固定刃ブロック１００と可動刃ブロック２００とが接続される。
【００２２】
最初に、図１１に示されるように、不図示のプリンタ本体部に取り付けられているカバー部が開いている状態では、固定刃ブロック１００と可動刃ブロック２００とは接触してはいない。この後、図１２に示されるように、不図示のプリンタ本体部に取り付けられているカバー部を閉じることにより、固定刃ブロック１００と可動刃ブロック２００とが接続される。この際、固定刃ブロック１００に設けられているプラテンローラ１１０は、可動刃ブロック２００に設けられているロックアーム２７１において、プラテンローラ１１０の軸受１１１が保持される。
【００２３】
固定刃ブロック１００は、図１３及び図１４に示されるように、固定刃設置部材１５０に対し上下方向、即ち、矢印Ｂに示される方向に、プラテンローラ保持部材１２０が移動することができるように形成されている。また、図１５に示されるように、固定刃バネ１４０は、固定刃バネ回転軸１４１を中心に回転可能な状態で固定刃設置部材１５０に取り付けられている。固定刃バネ１４０には、一方の端部近傍には、固定刃１３０の裏面と接触する接触部１４０ａが設けられており、他方の端部近傍には、プラテンローラ保持部材１２０に設けられたバネ押下部１２１と接触する接触部１４０ｂが設けられている。
【００２４】
本実施の形態においては、不図示のプリンタ本体部に取り付けられているカバー部を閉じることにより、図１３に示されるように、固定刃設置部材１５０に対し、プラテンローラ保持部材１２０が矢印Ｂにおける下方向に移動する。これにより、図１５に示されるように、固定刃バネ１４０の他方の端部近傍に設けられた接触部１４０ｂがプラテンローラ保持部材１２０に設けられたバネ押下部１２１により押される。このように、固定刃バネ１４０に設けられた接触部１４０ｂがプラテンローラ保持部材１２０に設けられたバネ押下部１２１により押されることにより、固定刃バネ１４０は固定刃バネ回転軸１４１を中心に時計回りに回転し、固定刃バネ１４０の一方の端部近傍に設けられた接触部１４０ａにおいて、固定刃１３０の裏側から上方向に押す。尚、図１５は、図１３の状態に対応する断面図である。
【００２５】
これにより、固定刃１３０と可動刃２３０との相互の先端部分の高さ方向における隙間、具体的には、図１２等において相互の先端部分の上下方向における隙間を略０にすることができ、固定刃１３０と可動刃２３０との間に挟まれた記録紙を切断することができる。尚、この固定刃１３０と可動刃２３０との相互の先端部分の高さ方向における隙間が広い場合では、固定刃１３０と可動刃２３０との間において、上手く記録紙を挟み込むことができないため、切断することはできない。
【００２６】
ここで、固定刃１３０と可動刃２３０とにより記録紙を切断した際に、固定刃１３０と可動刃２３０との間で記録紙が詰まった場合、即ち、ジャムとなった場合には、図１６に示すように、不図示のカバー部を開くため、操作レバー２８０を矢印Ｃに示す方向に押し下げる。これにより、プラテンローラ１１０の軸受１１１は、可動刃ブロック２００に設けられているロックアーム２７１より外れる。この際、同時に、図１７に示すように、固定刃設置部材１５０に対し、プラテンローラ保持部材１２０が上方向に移動する。尚、図１７は、図１４の状態に対応する断面図である。
【００２７】
これにより、固定刃バネ１４０の他方の端部近傍における接触部１４０ｂにおいて、プラテンローラ保持部材１２０におけるバネ押下部１２１により加えられていた力がなくなるため、または、弱くなるため、固定刃バネ１４０は、固定刃バネ回転軸１４１を中心に、反時計回りに回転し、固定刃１３０と接触していた固定刃バネ１４０の接触部１４０ａが離れ、固定刃バネ１４０により固定刃１３０に加えられていた力がなくなる。これにより、固定刃１３０は下向きに移動するため、可動刃２３０を元に戻すためのホームポジションバネの復元力により、可動刃２３０は元の位置に戻ることができ、固定刃１３０と可動刃２３０との間が開き、固定刃１３０と可動刃２３０との間に詰まったジャムとなった記録紙を取り除くことが可能となる。尚、ホームポジションバネに代えて、モータ２６０を逆回転させることにより、可動刃２３０を元の位置に戻してもよい。
【００２８】
以上、本発明の実施に係る形態について説明したが、上記内容は、発明の内容を限定するものではない。
【符号の説明】
【００２９】
１００      固定刃ブロック
１１０      プラテンローラ
１１１      軸受
１２０      プラテンローラ保持部材
１２１      バネ押下部
１３０      固定刃
１４０      固定刃バネ
１４０ａ    接触部
１４０ｂ    接触部
１４１      固定刃バネ回転軸
１５０      固定刃設置部材
１５１      開口部
２００      可動刃ブロック
２３０      可動刃
２４１      カバー部
２４２      カバー部
２４３      スライドレール
２４４      スライドレール
２４５      スライドレール
２５１      駆動ギア
２５２      伝達ギア
２５３      搬送ギア
２５４      送り出し部
２６０      モータ
２７１      ロックアーム
２８０      操作レバー
【図１】
2014040077.tif 000003
【図２】
2014040077.tif 000004
【図３】
2014040077.tif 000005
【図４】
2014040077.tif 000006
【図５】
2014040077.tif 000007
【図６】
2014040077.tif 000008
【図７】
2014040077.tif 000009
【図８】
2014040077.tif 000010
【図９】
2014040077.tif 000011
【図１０】
2014040077.tif 000012
【図１１】
2014040077.tif 000013
【図１２】
2014040077.tif 000014
【図１３】
2014040077.tif 000015
【図１４】
2014040077.tif 000016
【図１５】
2014040077.tif 000017
【図１６】
2014040077.tif 000018
【図１７】
2014040077.tif 000019